(57)【要約】【課題】  コントラストの低下や着色を低減することができる液晶装置を提供すること。【解決手段】  液晶装置１０は、透明基板２，３間に液晶層を挟持した液晶パネル１２と、この液晶パネル１２の視認側に配置された偏光板１と、液晶パネル１２の裏面側に配置された偏光板１１とを備えている。偏光板１１は、反射軸と平行な偏光成分を反射し透過軸と平行な偏光成分を透過する反射型偏光板５と、第１の吸収型偏光板４とを第２の吸収型偏光板６の視認側に備えて構成されている。さらに、偏光板１と第２の吸収型偏光板６との間には位相差板が備えられている。【選択図】  図１
2010044145.tif 000002
【特許請求の範囲】
【請求項１】
２枚の透明基板間に液晶層を挟持した液晶パネルと、該液晶パネルの視認側に配置された第１の偏光手段と、前記液晶パネルの裏面側に配置された第２の偏光手段とを備えた液晶装置において、
前記第２の偏光手段は、反射軸と平行な偏光成分を反射し透過軸と平行な偏光成分を透過する反射型偏光板と、第１の吸収型偏光板とを第２の吸収型偏光板の前記視認側に備えて構成され、
さらに、前記第１の偏光手段と前記第２の吸収型偏光板との間に位相差板を備えていることを特徴とする液晶装置。
【請求項２】
前記位相差板は、前記第１の吸収型偏光板と前記第２の吸収型偏光板との間に備えられていることを特徴とする請求項１に記載の液晶装置。
【請求項３】
前記反射型偏光板は、前記第１の吸収型偏光板と前記第２の吸収型偏光板の間に配置され、前記位相差板は、前記反射型偏光板と前記第２の吸収型偏光板の間に備えられていることを特徴とする請求項１に記載の液晶装置。
【請求項４】
前記第１の吸収型偏光板の透過軸と、前記位相差板の遅相軸とが平行であることを特徴とする請求項２または３に記載の液晶装置。
【請求項５】
前記位相差板は、前記第１の偏光手段と前記第１の吸収型偏光板との間に備えられており、前記位相差板の遅相軸と前記第１の吸収型偏光板の透過軸とが平行になっていることを特徴とする請求項１に記載の液晶装置。
【請求項６】
前記位相差板は、λ／４位相差板であることを特徴とする請求項１〜５のいずれか一項に記載の液晶装置。
【請求項７】
表示機能を有する表示ユニットを視認側と反対側にさらに備え、前記第２の吸収型偏光板が前記表示ユニットの吸収型偏光層として機能することを特徴とする請求項１〜６のいずれか一項に記載の液晶装置。
【請求項８】
前記第１の吸収型偏光板が、透過軸と直交する方向の偏光のうち特定波長の光のみを透過して該特定波長以外の光は吸収し、前記透過軸と平行な方向の偏光は透過する色偏光板であることを特徴とする請求項１〜７のいずれか一項に記載の液晶装置。
【請求項９】
前記透明基板がプラスチック基板であることを特徴とする請求項１〜８のいずれか一項に記載の液晶装置。
【発明の詳細な説明】
【技術分野】
【０００１】
本発明は、液晶パネルの表裏面側に偏光手段を備えた液晶装置に関する。
【背景技術】
【０００２】
反射型偏光板として、反射軸と平行な偏光成分を反射し、透過軸と平行な偏光成分を透過する光学フィルムが実用化されている。この反射型偏光板のもっとも普及している用途は、反射光をリサイクルするという考え方に基づいて背面照明装置の光利用効率（直線偏光の取り出し効率）を高めるものである（例えば、特許文献１参照）。例えば携帯型電話機の液晶表示装置では、２枚の偏光板を備えた液晶セルと背面照明装置との間に反射型偏光板を挿入し光利用効率を向上させていることが多い。また光利用効率をさらに高めるため、背面照明装置と反射型偏光板との間に位相差板を挿入することもある（例えば、特許文献２参照）。
【０００３】
反射型偏光板の別の使い方として、銀色（または鏡面）の背景に色のついた文字や図形を表示させる液晶表示装置が知られている（例えば、特許文献３参照）。さらに工夫を加え、メタリックな色を呈する背景に文字や図形を表示できるようにした液晶装置もある（例えば、特許文献４参照）。この液晶装置は、光吸収層上に、反射型偏光板と、色偏光板と、液晶セルと、吸収型偏光板とを積層したものである。この色偏光板は、吸収軸方向の振動面を持つ直線偏光のうち特定波長以外の成分を吸収し（特定波長成分は透過し）、透過（容易）軸と平行な方向の振動面を持つ直線偏光を透過させる。このとき色偏光板の吸収軸と反射型偏光板の反射軸を平行にしておく。すなわち光吸収層上に反射型偏光板と色偏光板を備えた積層体は、色偏光板の吸収軸と平行な偏光が入射する領域がメタリックに着色し、吸収軸と直交する方向の偏光が入射する領域が黒色となる。なお偏光領域の制御は液晶で行う。
【０００４】
そこで本願発明者らは、特許文献４の液晶装置における光吸収層を吸収型偏光板で置き換え、着色した金属光沢を持った表示面に文字や図形を表示する反射モードと、液晶装置を透かして反対側にある物体が見える透過モードとを有する液晶装置を開発した。なお反射モードと透過モードは、光源（物体から発する光も含む。）が視認側にあるか裏面側にあるかということを意味している。この液晶装置を図１０と図１１で説明する。図１０はこの液晶装置が有する液晶セルの表示・シャッター部を含む部材積層構造を示す断面図である（以下、断面図は表示・シャッター部を含むものとする。）。図１１は、図１０に示す液晶装置の表示・シャッター部における積層部材の分解斜視図であり、合わせて各偏光板の光軸を示している（図中、矢印。）。なお図１０及び図１１において、同等の部材は同じ番号を付し重複する説明は省略する。
【０００５】
図１０に示す、液晶装置１００では、視認側とは反対側に配置された吸収型偏光板８６上に、反射型偏光板８５、色偏光板８４が積層されており、これらが裏面側の偏光板として機能する。そして、この裏面側の偏光板上に、第２の透明基板８３、第１の透明基板８２、視認側の吸収型偏光板８１が積層されている。第１の透明基板８２と第２の透明基板８３の間には液晶分子配列が９０゜ツイストしたツイストネマチック液晶層（図示せず。以下ＴＮ液晶層という。）が挟み込まれている。また、第１および第２の透明基板８２、８３のＴＮ液晶層側の面にはそれぞれ電極が形成されている（図示せず。）。この電極によってＴＮ液晶層に電圧が印加され、文字や図形が表示される。なお、電圧が印加されない平面領域（以下、ＯＦＦ領域という。）に入射した光（偏光）は液晶層で９０゜旋光する。一方、電圧が印加される平面領域（以下、ＯＮ領域という。）に入射した光（偏光）は液晶層で旋光しない。また複屈折が生じないよう透明基板８２に接する液晶分子の長軸
方向と視認側の吸収型偏光板８１の透過軸方向は一致している。
【０００６】
次に、図１１を参照して、各偏光板８１，８４，８５，８６の光軸について説明する。視認側の吸収型偏光板８１の透過軸９２と吸収軸９１は直交している。同様に色偏光板８４の透過軸９４と吸収軸９３、反射型偏光板８５の透過軸９６と反射軸９５、吸収型偏光板８６の透過軸９８と吸収軸９７もそれぞれ直交している。また全ての透過軸９２，９４，９６，９８は平行である。
【０００７】
次に反射モードを説明する。視認側からＯＦＦ領域（背景部）に入射した光は、視認側の吸収型偏光板８１を通過すると透過軸９２の方向に偏光する。この偏光は、液晶層で９０゜旋光し色偏光板８４に達する。このとき偏光方向が吸収軸９３と平行になっているので、特定の波長成分だけが色偏光板８４を通過し反射型偏光板８５に達する。色偏光板８４で着色された偏光は、偏光方向が反射軸９５と平行となっているので、反射型偏光板８５で反射し、逆のコースを辿って視認側に戻って来る。これに対し視認側からＯＮ領域（文字や図形の表示部）に入射した光は、視認側の吸収型偏光板８１を透過して透過軸９２方向に偏光されるが、液晶層では旋光されないので第１の吸収型偏光板８６から裏面側に出射する。すなわち、反射モードでは、ＯＦＦ領域は鏡面（金属光沢面）となり、ＯＮ領域は黒色となる。
【０００８】
次に透過モードを説明する。背面側からＯＮ領域に入射した光は、吸収型偏光板８６を通過すると透過軸９８の方向に偏光する。この偏光は、反射型偏光板８５、色偏光板８４を透過し、液晶層でも同じ偏光方向を保つので第１の偏光板８１も通過する。すなわちＯＮ領域に入射した透過軸方向の偏光は、そのまま液晶装置を通って出射する。なお、本願発明者らの試作した液晶装置の背景部は、電極を備えており、この領域もＯＮ／ＯＦＦ制御が可能である。そこで背景部も表示部も全てＯＮ領域とすれば、透過モードにおいて視認側から裏面側が透けて見える。また液晶装置全面（または一部）をＯＦＦとすることで裏面から入射する光を遮ぎることもできる。
【０００９】
実は、反射型偏光板８５が理想的な特性を持っていれば、吸収型偏光板８６がなくても前述の機能は満たされる。ところが現実的には反射型偏光板８５の偏光分離能力が低いため第２の吸収型偏光板８６がないと透過モードにおける遮光領域の着色が起こる。そこで第２の吸収型偏光板８６は、遮光特性の劣化を防止するために追加されたものである。
【特許文献１】特表平１１−５０９３３１号公報
【特許文献２】特開２００７−４１７４号公報
【特許文献３】特開平１１−２１１８６４号公報
【特許文献４】特開２０００−３１４８７９号公報
【発明の開示】
【発明が解決しようとする課題】
【００１０】
しかしながら、上述した従来の液晶装置では、吸収型偏光板８６を追加したにも関わらず、透過モードにおいて透過光が着色してしまうという問題が生じる。また、透過モードにおいてコントラスト低下を充分に抑え込むことができないという不具合もあった。
【００１１】
本発明の目的は、コントラストの低下や着色を低減することができる液晶装置を提供することである。
【課題を解決するための手段】
【００１２】
本発明は、２枚の透明基板間に液晶層を挟持した液晶パネルと、該液晶パネルの視認側に配置された第１の偏光手段と、液晶パネルの裏面側に配置された第２の偏光手段とを備えた液晶装置において、第２の偏光手段は、反射軸と平行な偏光成分を反射し透過軸と平
行な偏光成分を透過する反射型偏光板と、第１の吸収型偏光板とを第２の吸収型偏光板の視認側に備えて構成され、さらに、第１の偏光手段と第２の吸収型偏光板との間に位相差板を備えていることを特徴とするものである。
【００１３】
位相差板は、第１の吸収型偏光板と第２の吸収型偏光板との間に備えられていてもよい。また、反射型偏光板が、第１の吸収型偏光板と第２の吸収型偏光板の間に配置され、位相差板が、反射型偏光板と第２の吸収型偏光板の間に備えられていてもよい。
【００１４】
この場合、第１の吸収型偏光板の透過軸と、位相差板の遅相軸とが平行であることが好ましい。
【００１５】
また、位相差板は、第１の偏光手段と第１の吸収型偏光板との間に備えられており、位相差板の遅相軸と第１の吸収型偏光板の透過軸とが平行になっていてもよい。
【００１６】
位相差板は、λ／４位相差板であってもい。
【００１７】
また、表示機能を有する表示ユニットを視認側と反対側にさらに備え、第２の吸収型偏光板が表示ユニットの吸収型偏光層として機能するものであってもよい。
【００１８】
さらに、第１の吸収型偏光板が、透過軸と直交する方向の偏光のうち特定波長の光のみを透過して該特定波長以外の光は吸収し、透過軸と平行な方向の偏光は透過する色偏光板であってもよい。
【００１９】
またさらに、透明基板がプラスチック基板であってもよい。
【発明の効果】
【００２０】
本発明によれば、液晶パネルの視認側および裏面側に偏光手段を備えた液晶装置において、裏面側に配置された偏光手段を、反射軸と平行な偏光成分を反射し透過軸と平行な偏光成分を透過する反射型偏光板と、第１の吸収型偏光板とを第２の吸収型偏光板の視認側に備えた構成とし、さらに視認側に配置された偏光手段と第２の吸収型偏光板の間に位相差板を挿入したので、透過モードにおいてコントラストが向上し着色を低減することができる。
【発明を実施するための最良の形態】
【００２１】
以下、添付図面を参照しながら、本発明の好適な実施形態について詳細に説明する。なお、図面の説明において、同一または相当要素には同一の符号を付し、重複する説明は省略する。
（第１の実施形態）
【００２２】
以下、図１から図４を参照しながら本発明の第１の実施形態について詳細に説明する。図１は第１の実施形態の液晶装置の断面図である。図２は第１の実施形態の液晶装置の分解斜視図である。図３は光の進路や偏光状態を説明するための説明図である。図４は第１の実施形態の液晶装置の実験結果を示す図である。
【００２３】
まず図１において本発明の第１の実施形態における液晶装置１０の積層構造を説明する。背面照明装置８上に、第２の吸収型偏光板６、位相差板７、反射型偏光板５、色偏光板４（第１の吸収型偏光板）、透明基板２，３間に液晶層を有する液晶パネル１２、および視認側に配置された吸収型の偏光板１（第１の偏光手段）が積層している。透明基板２，３は、その間隙に液晶分子配列が９０゜ツイストしたＴＮ液晶層（図示せず）を挟持し、液晶パネルを構成している。透明基板２，３のＴＮ液晶層側の面には、それぞれ液晶層を
駆動する電極（図示せず）が形成されている。なお、第２の吸収型偏光板６、位相差板７、反射型偏光板５、および色偏光板４からなる積層体は裏面側の偏光板１１（第２の偏光手段）として機能する。
【００２４】
次に図２により各偏光板１，４，５，６と位相差板７との光軸について説明する。視認側に配置された偏光板１において透過軸２２と吸収軸２１とは直交している。同様に、色偏光板４の透過軸２４と吸収軸２３、反射型偏光板５の透過軸２６と反射軸２５、位相差板７の遅相軸３０と進相軸２９、第２の吸収型偏光板６の透過軸２８と吸収軸２７は直交している。また全ての偏光板１，４，５，６の透過軸２２，２４，２６，２８と位相差板７の遅相軸３０は平行になっている。
【００２５】
次に図３において反射モードのＯＦＦ領域に入射する光線Ｌ１を説明する。なお図中、各偏光板１，４，５，６の透過軸２２，２４，２６，２８及び位相差板７の遅相軸３０が紙面に平行な方向を向いているものとする（以下同様）。光線Ｌ１は視認側に配置された吸収型の偏光板１を通過すると、矢印３１（紙面と平行）が示す方向の直線偏光成分だけが残る。この光線Ｌ１は透明基板２、３に挟まれたＴＮ液晶層で９０°旋光し、偏光方向が丸印３４で示す方向（紙面に直交）となる。この光線Ｌ１は、色偏光板４の吸収軸２３と平行なので、色偏光板４を通過すると特定の波長成分以外が吸収される。すなわち光線Ｌ１は着色する。この様子を図中において破線で示した。光線Ｌ１は、反射型偏光板５に達すると、偏光方向が反射型偏光板５の反射軸２５と平行になっているので、反射型偏光板５で反射する。反射した光線Ｌ１は逆の経路をたどり偏光板１から着色して出射する。すなわち反射モードにおけるＯＦＦ領域は着色した鏡面（金属光沢面）となる。
【００２６】
次に反射モードのＯＮ領域に入射する光線Ｌ２について説明する。光線Ｌ２は偏光板１を通過すると、矢印３１（紙面と平行）が示す方向の直線偏光成分だけが残る。この光線Ｌ２はＴＮ液晶層を通過しても偏光方向が変わらない。つまり偏光方向は矢印３５で示すように紙面に平行なままである。光線Ｌ２の偏光方向は、色偏光板４の透過軸２４と平行なので、色偏光板４をそのまま通過する。同様に反射型偏光板５、および第２の吸収型偏光板６も透過する。そして背面照明装置８で反射し、逆の経路とたどって視認側に戻ってくる。しかしながら光線Ｌ２は、多くの光学フィルムを２回通過することや、反射率の小さい背面照明装置８で反射されることにより強度が減衰する。この様子を図中において点線で示した。すなわち反射モードのＯＮ領域は暗く見える。
【００２７】
次に透過モードのＯＮ領域に入射する光線Ｌ３について説明する。光線Ｌ３は第２の吸収型偏光板６に入射すると、矢印３７（紙面と平行）が示す方向の直線偏光成分だけが残る。この光線Ｌ３は、このまま位相差板７、反射型偏光板５、色偏光板４を通過し、透明基板３の裏面に達する。すなわち光線Ｌ３は、透明基板３の裏面において無色のまま矢印３６方向に偏光している。この光線Ｌ３はＴＮ液晶層を通過しても偏光方向が矢印３２方向を向いているので視認側の吸収型偏光板１を通過する。すなわち透過モードのＯＮ領域は透光領域となる。
【００２８】
最後に透過モードのＯＦＦ領域に入射する光線Ｌ４について説明する。光線Ｌ４は第２の吸収型偏光板６に入射すると、矢印３７（紙面と平行）が示す方向の直線偏光成分だけが残る。この光線Ｌ４は、このまま位相差板７、反射型偏光板５、色偏光板４を通過し、透明基板３の裏面に達する。このとき光線Ｌ４は矢印３６方向に偏光している。この光線Ｌ４はＴＮ液晶層で９０°旋光し、偏光方向が丸印３３の方向（紙面に垂直）を向く。このため光線Ｌ４は、視認側の偏光板１で吸収される。すなわち透過モードのＯＦＦ領域は遮光された領域となる。
【００２９】
ここで、偏光方向を完全に９０°回転させる液晶層を備えた液晶パネルを、理想的な特
性を有する偏光板で挟んだ液晶装置は、完全な光（直線偏光）の透過、遮光制御が可能となるはずである。しかしながら第２の吸収型偏光板６上に反射型偏光板５と色偏光板４（第１の偏光手段）を積層した偏光板（第２の偏光手段）を液晶パネルの裏面に取り付けただけでは透過モードにおけるコントラストの低下や着色が生じる。
【００３０】
本願発明者らは、偏光板１（第１の偏光手段）と第２の吸収型偏光板６の間に位相差板７を挿入することによって、透過モードにおいてコントラストが向上し着色が低減することを見出した。そしてさらに、第２の吸収型偏光板６の透過軸と位相差板の遅相軸とを平行にすることによって、コントラストの低下や着色を最も改善させることができることも見出した。
【００３１】
なお、反射型偏光板と第２の吸収型偏光板との間に位相差板を備えている場合は、透過モードの改善だけがなされ、反射モードに影響しないので、反射モードの表示特性が良好な場合に有効である。
【００３２】
なお、図３の説明において、各偏光板１，４，５，６と液晶層は理想的な偏光特性を有し、位相差板７は何の作用も及ぼさないものとした（透過による損失を除く）。つまり光線Ｌ３、Ｌ４は、偏光方向が遅相軸３０の方向（矢印３７方向、紙面に平行）と一致するので、位相差板７に入射しても異常光（または常光）を発生しないはずだからである。つまり複屈折が起きない。しかしながら前述のように位相差板７がないと着色やコントラスト低下が起きていた。これに対し位相差板７を挿入すると着色やコントラスト低下が改善することが目視された。この改善度合いを測定した例を図４で説明する。
【００３３】
図４では、液晶装置（装置番号１，２，３）に対し、位相差板がない場合の透過率１と位相差板がある場合の透過率２とを示している。コントラストの値はばらついているが、各液晶装置とも位相差板がない場合に比べ、位相差板があるとコントラストが高くなっている。ここでコントラスト向上は、主に黒レベルが下がったためである。
【００３４】
この実験条件を示す。視認側に配置された吸収型の偏光板１と第２の吸収型偏光板６は、トリアセチルセルロース（以下、ＴＡＣという。）基板からなり、厚さが１１０μｍである。透明基板２，３は、ポリカーボネイトからなり、厚さが１２０μｍである。第１の吸収型偏光板４は、ＴＡＣ基板からなり、厚さが２１５μｍである。なお本実験では第１の吸収型偏光板４として、色偏光板ではなく通常の吸収型偏光板を使用した。反射型偏光板５は住友３Ｍ社製のＤＢＥＦ（登録商標）を使用した。位相差板７は、ポリカーボネイトからなり、厚さが４０μｍのλ／４板である。
【００３５】
図４の実験では、第１の吸収型偏光板４の透過軸２４と位相差板７の遅相軸３０を平行にした。この実験と並行して透過軸２４と遅相軸３０を平行からずらして着色情況を目視観察したところ、透過軸と遅相軸が平行であるときに最も着色が少なかった。また透明基板２，３をガラスにしても同様の結果となった。
（第２の実施形態）
【００３６】
以下、図５を参照しながら本発明の第２の実施形態に係る液晶装置について説明する。図５は第２の実施形態の液晶装置を示す断面図である。本実施形態に係る液晶装置１１０は、位相差板７が反射型偏光板５の上に配置されている点において第１の実施形態に係る液晶装置１０と異なっている。本実施形態においても透過モードにおけるコントラスト低下や着色に対する改善を図ることができる。
（第３の実施形態）
【００３７】
次に、図６を参照しながら本発明の第３の実施形態に係る液晶装置について説明する。
図６は第３の実施形態の液晶装置の断面図である。本実施形態に係る液晶装置１２０は、位相差板７が視認側の吸収型偏光板１の下に配置されている点において第１の実施形態に係る液晶装置１０と異なっている。本実施形態においても透過モードにおけるコントラスト低下や着色に対する改善を図ることができる。このとき、位相差板７の遅相軸３０と第１の吸収型偏光板４の透過軸は平行である。この光軸の関係が、位相差板と偏光板を有し複屈折を利用する表示装置とは異なっている。また位相差板は第１の吸収型偏光板４の上にあってもよい。
（第４の実施形態）
【００３８】
以下、図７を参照しながら本発明の第４の実施形態に係る液晶装置について説明する。図７は第４の実施形態の液晶装置の断面図である。本実施形態に係る液晶装置１３０において、視認側の吸収型偏光板１から第２の吸収型偏光板６に至る積層部分は、図１の第１の実施形態の液晶装置１０に相当する。第４の偏光板６３上に透明基板６２，６１、第２の吸収型偏光板６を積層した積層部６５は、各画素毎にスイッチング素子としてＴＦＴ（シンフィルムトランジスタ）を備えたＴＦＴ液晶セルである。すなわち図７に示す液晶装置１３０は、ＴＦＴ液晶セル（表示ユニット６５）上に第１の実施形態の液晶装置１０が積層し、第２の吸収型偏光板６を共用した形態をとっている。
【００３９】
本実施形態の液晶装置を反射モードで使う場合は、ＴＦＴ液晶セル（表示ユニット６５）とバックライト８を停止しておく。この結果、実施形態１の反射モードと同じ動作となり、着色した金属光沢面からなる背景に黒い文字や図形が表示される。一方、本実施形態の液晶装置を透過モードで使う場合、液晶装置１０を透過状態に設定した上でＴＦＴ液晶セル（表示ユニット６５）とバックライト８を動作させる。この結果、ＴＦＴ液晶セル（表示ユニット６５）上に表示された高画質画像を、色ずれ（着色）が少ない状態で視認することができるようになる。なお必要に応じて液晶装置１０を、全体または部分的に遮光状態にしてもよい。
（第５の実施形態）
【００４０】
以下、図８を参照しながら本発明の第５の実施形態に係る液晶装置について説明する。図８は第５の実施形態の液晶装置の断面図である。本実施形態に係る液晶装置１４０において、第１の吸収型偏光板１から第２の吸収型偏光板６に至る積層部分は、図１の第１の実施形態の液晶装置１０に相当する。有機ＥＬ（エレクトロルミネッセンス）パネル本体６７上にλ／４位相板６６と第２の吸収型偏光板６を積層した積層部６８は、有機ＥＬパネル本体６７に入射した外光が第２の偏光板６とλ／４位相板６６で視認側に戻らないようにした有機ＥＬセルである。すなわち図８に示す液晶装置１４０は、有機ＥＬセル（表示ユニット６８）上に第１の実施形態の液晶装置１０を積層し、第２の吸収型偏光板６を共用した形態をとっている。
【００４１】
本実施形態の液晶装置１４０を反射モードで使う場合は、有機ＥＬセル（表示ユニット６８）を停止しておく。この結果、第１の実施形態の反射モードと同じ動作となり、着色した金属光沢面からなる背景に黒い文字や図形が表示される。一方、本実施形態の液晶装置１０を透過モードで使う場合は、液晶装置１０を透過状態に設定した上で有機ＥＬセル（表示ユニット６８）を動作させる。この結果、有機ＥＬセル（表示ユニット６８）上に表示された高画質画像を、色ずれ（着色）が少ない状態で視認することができるようになる。なお必要に応じて液晶装置１０を、全体または部分的に遮光状態にしてもよい。
（第６の実施形態）
【００４２】
第１から第５までの実施形態は第１の吸収型偏光板が色偏光板４であった。そこで第６の実施形態の液晶装置として、第１の吸収型偏光板が通常の吸収型偏光板である例を図９に示す。
【００４３】
図９は第６の実施形態に係る液晶装置１５０を示す断面図である。図９において、反射型偏光板５上に、第１の吸収型偏光板７１、透明基板２，３、偏光板１を備えた積層部７７は液晶セルとして機能する。この液晶セルには、キーボード領域７５と表示領域７６がある。キーボード領域７５において液晶セルの裏面にＥＬ照明シート７２が配置されている。さらにＥＬ照明シート７２の下に感圧型キーシート７３がある。ここでキーシート７３とは複数のスイッチがシート上に配列した電子部品である。キーシート７３に液晶セル表面から加えられた圧力を伝達させるため透明基板２，３はプラスチックシート（プラスチック基板）となっている。表示部７６では、液晶セルの裏面に位相差板７を介してＴＦＴ液晶セル（表示ユニット６５）が配置され、さらにＴＦＴ液晶セル（表示ユニット６５）の下には背面照明装置８が配置されている。
【００４４】
次に反射型偏光板５について説明する。キーボード部７５における反射型偏光板５は、ＥＬ照明シート７２の光増強用フィルムである。一方、表示部７６における反射型偏光板は、待機時における装置表面色を均一化するものとして機能している。すなわちこの液晶セルは、待機時に装置表面が黒一色になるように構成されている。ところが、透明基板２，３がプラスチックシートであるため、偏光分離特性の良い吸収型偏光板７１を備えたにも関わらず、液晶セルのコントラストは低くなってしまう。そこで、この液晶セルの裏面全体に亘って反射型偏光板５を取り付けることで、待機時における表面色の均一化を図った。
【００４５】
装置の薄型化や軽量化のため透明基板をプラスチック化すると、しばしばコントラスト低下や着色が発生する。ここに裏面側の偏光板（偏光手段）として、第２の吸収型偏光板上に反射型偏光板と第１の吸収型偏光板を積層した偏光板を採用すると、コントラスト低下や着色が一層悪化する。そこで、本実施形態の液晶装置に上述の位相差板を挿入することにより、コントラストの低下や着色の改善度合いがガラス基板のものに比べてより大きいものとすることができる。
【００４６】
表示部７６の積層構造は、図７の第４の実施形態における色偏光板４を通常の吸収型偏光板７１に置き換えたものとなる。これにより、第４の実施形態と同様に第２の吸収型偏光板６と反射型偏光板５の間に位相差板７が挿入されているので、表示領域７６ではＴＦＴ液晶セル６５に表示される画像を着色なしに見ることが可能となる。
【００４７】
上述の液晶装置のように、液晶パネルの裏面側に表示ユニットを配置すると、液晶パネルの透過モードで表示ユニットの表示画面が見えることとなる。上述のように位相差板を挿入したことでコントラスト低減や着色を抑えられたので、液晶パネルを表示ユニット上に積層したために生じる損失（画質劣化）を小さくできる。表示ユニットが、視認側に偏光板を備え直線偏光を出射する場合、出射光の偏光方向が第２の吸収型偏光板の透過軸方向と一致していれば最も効率が良い。このとき、第２の吸収型偏光板を表示ユニットの視認側の吸収型偏光層として機能させることにより、最大の光利用効率を実現しつつ液晶装置の薄型化を図ることができる。
【図面の簡単な説明】
【００４８】
【図１】本発明の第１の実施形態に係る液晶装置を示す断面図である。
【図２】本発明の第１の実施形態に係る液晶装置を示す分解斜視図である。
【図３】本発明の第１の実施形態に係る液晶装置の光線の説明図である。
【図４】本発明の第１の実施形態に係る液晶装置の実験結果を示す図である。
【図５】本発明の第２の実施形態に係る液晶装置を示す断面図である。
【図６】本発明の第３の実施形態に係る液晶装置を示す断面図である。
【図７】本発明の第４の実施形態に係る液晶装置を示す断面図である。
【図８】本発明の第５の実施形態に係る液晶装置を示す断面図である。
【図９】本発明の第６の実施形態に係る液晶装置を示す断面図である。
【図１０】従来の液晶装置を示す断面図である。
【図１１】従来の液晶装置を示す分解斜視図である。
【符号の説明】
【００４９】
１，８１…偏光板（第１の偏光手段）
２，３，８２，８３…透明基板
４，８４…色偏光板（第１の吸収型偏光板）
５，８５…反射型偏光板
６，８６…第２の吸収型偏光板
７…位相差板
８…背面照明装置
１１…偏光板（第２の偏光手段）
１２…液晶パネル
２１，２３，２７，９１，９３，９７…吸収軸
２２，２４，２６，２８，９２，９４，９８…透過軸
２５，９５…反射軸
２９…進相軸
３０…遅相軸
３１〜３７…偏光方向
Ｌ１，Ｌ２，Ｌ３，Ｌ４…光線
６５…ＴＦＴ液晶セル（表示ユニット）
６８…有機ＥＬセル（表示ユニット）
７１…第１の吸収型偏光板
７２…ＥＬ照明シート
７３…キーシート
７５…キーボード領域
７６…表示領域
７７…液晶セル
１１０，１２０，１３０，１４０，１５０…液晶装置
【図１】
2010044145.tif 000003
【図２】
2010044145.tif 000004
【図３】
2010044145.tif 000005
【図４】
2010044145.tif 000006
【図５】
2010044145.tif 000007
【図６】
2010044145.tif 000008
【図７】
2010044145.tif 000009
【図８】
2010044145.tif 000010
【図９】
2010044145.tif 000011
【図１０】
2010044145.tif 000012
【図１１】
2010044145.tif 000013